(57)【特許請求の範囲】
【請求項１】
押さえを支持する支持部材と、
該支持部材に交換可能に装着される複数の押さえと、
該それぞれの押さえに備えられ、その押さえの種類に固有の電気抵抗を有する抵抗部材と、
該抵抗部材の電気抵抗を測定する抵抗測定装置と、
該測定した電気抵抗から装着された押さえの種類を判定する判定装置と、
該判定装置の判定結果を表示する表示装置と、
を備えたことを特徴とする押さえ交換可能なミシン。
【請求項２】
前記押さえが前記支持部材に支持されるためのロッドピンを有し、前記抵抗部材が該ロッドピンである、
請求項１の押さえ交換可能なミシン。
【請求項３】
前記支持部材が、前記抵抗部材の抵抗を測定するための配線を有する、
請求項１の押さえ交換可能なミシン。
【請求項４】
前記支持部材は、前記ロッドピンを受ける嵌合溝と、該嵌合溝に設けられ前記ロッドピンに所定の間隔を空けて接触する一対の端子と、該端子に接続する抵抗測定用の配線と、
を備える、請求項２の押さえ交換可能なミシン。
【請求項５】
前記支持部材が、押さえ棒と該押さえ棒に装着された押さえホルダと、から構成される、請求項１の押さえ交換可能なミシン。
【請求項６】
押さえを装脱可能に支持する押さえホルダと、
該押さえホルダを支持する押さえ棒と、
前記押さえホルダに交換可能に装着される複数の押さえと、
該それぞれの押さえに備えられ、その押さえの種類に固有の電気抵抗を有するロッドピンと、
前記押さえホルダに設けられた、前記ロッドピンを受ける嵌合溝と、
該嵌合溝に設けられた、所定の間隔を空けて接触する一対の端子と、
前記押さえホルダと押さえ棒とに設けられた、前記端子に接続する抵抗測定用の配線と、
前記ロッドピンの電気抵抗を測定する抵抗測定装置と、
該測定した電気抵抗から装着された押さえの種類を判定する判定装置と、
該判定装置の判定結果を表示する表示装置と、
を備えたことを特徴とする押さえ交換可能なミシン。
【発明の詳細な説明】
【技術分野】
【０００１】
この発明は、ミシンに関し、特に押さえを交換することが可能なミシンに関する。
【背景技術】
【０００２】
ミシンには布を押さえるための押さえ（presser foot)が設けられているが、多くの種類の押さえを用意し、用途に応じて押さえを交換するように構成されたミシンが普及している。
押さえを交換可能にした場合、装着された押さえがユーザが意図したものであるかを確認できるようにすることが重要であり、異なる押さえを装着した場合、縫い作業が円滑に行えず、また押さえを破損することもある。そのため装着された押さえの種類、タイプを検知する構成が従来から用いられている。
【先行技術文献】
【特許文献】
【０００３】
【特許文献１】米国特許４４１６２０８号
【発明の概要】
【発明が解決しようとする課題】
【０００４】
しかし、上記従来技術においては、スイッチなどのセンサにより押さえ側のタペットを検出することにより押さえのタイプを検知する構成になっており、押さえ側の構造が複雑になり、多種類の押さえを検知するためには構造的な限界があるなどの問題がある。
本発明は上記従来技術の問題を解決することを目的とする。
【課題を解決するための手段】
【０００５】
上記目的を達成するために、本発明の押さえ交換可能なミシンは、押さえを支持する支持部材と、該支持部材に交換可能に装着される複数の押さえと、該それぞれの押さえに備えられ、その押さえの種類に固有の電気抵抗を有する抵抗部材と、該抵抗部材の電気抵抗を測定する抵抗測定装置と、該測定した電気抵抗から装着された押さえの種類を判定する判定装置と、該判定装置の判定結果を表示する表示装置と、を備えたことを特徴とする。
前記押さえが前記支持部材に支持されるためのロッドピンを有する場合、抵抗部材としてロッドピンを用いるのが望ましい。また前記支持部材に、前記抵抗部材の抵抗を測定するための配線を設けることが好適である。更に前記支持部材は、前記ロッドピンを受ける嵌合溝と、該嵌合溝に設けられ前記ロッドピンに所定の間隔を空けて接触する一対の端子と、該端子に接続する抵抗測定用の配線と、を備える、ように構成することも可能である。
支持部材としては、押さえ棒と該押さえ棒に装着された押さえホルダとから構成されるものを用いることが可能である。
更に本発明の好適な実施形態においては、押さえを装脱可能に支持する押さえホルダと、  該押さえホルダを支持する押さえ棒と、前記押さえホルダに交換可能に装着される複数の押さえと、該それぞれの押さえに備えられ、その押さえの種類に固有の電気抵抗を有するロッドピンと、前記押さえホルダに設けられた、前記ロッドピンを受ける嵌合溝と、該嵌合溝に設けられた、所定の間隔を空けて接触する一対の端子と、前記押さえホルダと押さえ棒とに設けられた、前記端子に接続する抵抗測定用の配線と、前記ロッドピンの電気抵抗を測定する抵抗測定装置と、該測定した電気抵抗から装着された押さえの種類を判定する判定装置と、該判定装置の判定結果を表示する表示装置と、を備えることが望ましい。
【発明の効果】
【０００６】
本発明の押さえ交換可能なミシンによれば、それぞれの押さえに固有の抵抗を測定することにより、簡単に押さえの種類を判別することが可能になる。また、抵抗を変えることにより判別する押さえの種類を簡単に増加することが可能である。
【図面の簡単な説明】
【０００７】
【図１】本発明の一実施形態を示す側面図。
【図２】本発明の一実施形態を示す部分斜視図。
【図３】本発明の一実施形態を示す部分斜視組立図。
【図４】本発明の一実施形態を示すブロック図。
【図５】本発明の一実施形態の部分説明図。
【図６】本発明の一実施形態部分説明図。
【図７】本発明の他の実施形態を示す部分斜視図。
【図８】本発明の他の実施形態の接続関係を示す説明図。
【発明を実施するための形態】
【０００８】
以下本発明の実施の形態を図面に基づいて説明する。
図１乃至図３において押さえ１は押さえホルダ２と押さえ棒３により支持されている。この実施形態では押さえホルダ２と押さえ棒３により支持部材Ａを構成している。
【０００９】
図３に示すように、押さえ１は抵抗部材Ｒを有しており、この実施形態では、押さえ１に設けられているロッドピン１０を抵抗部材Ｒとしている。このロッドピン１０に対応する嵌合溝２０が押さえホルダ２に設けられている。ロッドピン１０を嵌合溝２０に嵌装し、固定ピン１５により固定するように構成されている。
ロッドピン１０は嵌合溝２０において回動し、これにより押さえ１は回動可能に支持され、布の厚みなどに追従できるように構成されている。
【００１０】
ロッドピン１０は金属製で、導電性を有しており、ロッドピン１０の種類毎或いは各ロッドピン１０毎など必要に応じて電気抵抗を変えており、この電気抵抗を測定することにより、ロッドピン１０の種類などを判別できるようになっている。
ロッドピン１０の抵抗値は種々の態様が可能であり、各個のロッドピン１０を変えてもよいし、種類ごとに代えても良い。あるいは、何らかのグループごとに変えることが可能であり、用途に応じて設定すれば良い。
【００１１】
押さえホルダ２の嵌合溝２０には、図３乃至図５に示すように測定用の端子２３、２３が形成されており、ロッドピン１０に接触して、ロッドピン１０の抵抗値を測定するようになっている。端子２３，２３は所定距離離間させて配置しており、この実施形態ではロッドピン１０の両端に対応する位置に配置してある。
【００１２】
端子２３，２３には測定用の配線回路２５が接続している。回路２５は押さえホルダ２に形成された中空に配設された配線により形成されており、端子受け２４において押さえ棒３の回路３５と接続している。
【００１３】
図３に示すように押さえホルダ２には受け溝２９が形成され、一方押さえ棒３の下端には側面が削られた装入部３９が形成されており、受け溝２９に装入部３９を嵌装し、固定ネジ２７により固定することにより押さえホルダ２を押さえ棒３に接続するように構成されている。
受け溝２９には前記した端子受け２４，２４が設けられており、また装入部３９には対応する位置に端子３４、３４が設けられ、互いに接触して回路を形成するようになっている。
【００１４】
押さえ棒３の内部には中空部が設けられており、そこに図４に示すように、回路３５が設けられている。この回路３５は図６に示すように端子３４を介して回路２５に接続するように構成されている。
【００１５】
回路３５は図４に示すように抵抗測定装置４に接続し、抵抗測定装置４でロッドピン１０の抵抗値が測定され、判定装置５において該抵抗値に応じたロッドピン１０の種類などの判別が行われ、表示装置６に表示されて、ユーザに装着されたロッドピン１０の種類などが告知されるようになっている。
【００１６】
図７と図８に他の実施形態を示す。この実施形態では、押さえ１’は刺繍用の押さえであり、押さえホルダを用いずに、直接押さえ棒３に装着している。押さえ１’には受け溝１９を形成し、受け溝１９に端子１３、１３を設けてある。受け溝１９に押さえ棒３の装入部３９を嵌装し、固定ネジ１７により固定して、端子３４，３４と端子１３，１３を接触させ、押さえ１’自体の抵抗値を測定するように構成されている。押さえ１’は、全体を導電性の材質で構成して、全体を抵抗部材Ｒとするか、或いは少なくとも端子１３，１３間を導電性の材質として、この部分に抵抗部材Ｒを形成しておき、その抵抗値を固有のものに設定しておくことにより、他の押さえとの識別を可能とするようになっている。
【００１７】
なお、抵抗部材Ｒとしては、例えばロッドピン１０のメッキの種類を変えたり、或いはシートを張り付けることにより抵抗値を変えるなど、種々の態様が可能である。
【００１８】
以上説明した実施形態においては、抵抗部材Ｒの抵抗値を測定することにより、簡単に押さえの種類などを識別することが可能になり、識別可能な押さえの種類を増加することも簡単である。また、押さえを装着していないときは、抵抗部材Ｒが無限大になるため、非装着状態も簡単に検出可能になるなどの効果がある。
【符号の説明】
【００１９】
１：押さえ、２：押さえホルダ、３：押さえ棒、４：抵抗測定装置、５：判定装置、６：表示装置、１３：端子、１５：固定ピン、１７：固定ネジ、１９：受け溝、２０：嵌合溝、２３：端子、２４：端子受け、２５：回路、２７：固定ネジ２９：受け溝、３４：端子、３５：回路、３９：装入部。
【図１】
0006473625.tif 000002
【図２】
0006473625.tif 000003
【図３】
0006473625.tif 000004
【図４】
0006473625.tif 000005
【図５】
0006473625.tif 000006
【図６】
0006473625.tif 000007
【図７】
0006473625.tif 000008
【図８】
0006473625.tif 000009